(57)【要約】【課題】ネットワーク上のコンテンツの閲覧、端末及びネットワーク上のアプリケーションの操作履歴等の利用履歴を利用者端末によらず、要求に基づいて提供する。【解決手段】ネットワーク上のコンテンツの閲覧、端末及びネットワーク上のアプリケーションの操作履歴等の利用履歴をサーバ上に登録しておき、利用者から取得した操作種別及び時刻情報からなる要求に基づいて、操作の種別によって分類し、全ての前記利用履歴情報を時間単位で切り取り、時刻情報に対応する単位時間で切り取られた利用履歴情報から利用履歴コンポネントを生成し、利用履歴コンポネントを前記利用者端末に送信することによ履歴情報を提供する。【選択図】      図１
2004259042.tif 000002
【特許請求の範囲】
【請求項１】
ネットワークに接続される利用者端末におけるネットワークコンテンツ閲覧履歴、利用者端末及びサーバ上のアプリケーションの操作履歴を含む利用履歴の登録・保持及び表示を支援するためのネットワークコンテンツ・アプリケーション利用履歴表示方法において、
サーバにおいて、
前記コンテンツ閲覧履歴及び前記操作履歴を利用履歴情報として取得し、記憶手段に蓄積しておき、
他の装置から操作の種別及び時刻情報を含む利用履歴取得要求を取得すると、前記記憶手段に蓄積されている前記利用履歴情報を読み出して、該操作の種別によって分類し、全ての前記利用履歴情報を時間単位で切り取り、
前記時刻情報に対応する単位時間で切り取られた利用履歴情報から利用履歴コンポネントを生成し、
前記利用履歴コンポネントを前記利用者端末に送信することにより、該利用者端末上に表示することを特徴とするネットワークコンテンツ・アプリケーション利用履歴表示方法。
【請求項２】
ネットワークに接続される利用者端末におけるネットワークコンテンツ閲覧履歴、利用者端末及びサーバ上のアプリケーションの操作履歴を含む利用履歴の登録・保持及び表示を支援するためのネットワークコンテンツ・アプリケーション利用履歴表示装置であって、
前記コンテンツ閲覧履歴及び前記操作履歴を利用履歴情報として取得し、利用履歴蓄積手段に蓄積する利用履歴取得手段と、
他の装置から操作の種別及び時刻情報を含む利用履歴取得要求を取得すると、前記利用履歴蓄積手段に蓄積されている前記利用履歴情報を読み出して、該操作の種別によって分類し、全ての前記利用履歴情報を時間単位で切り取り、該時刻情報に対応する単位時間で切り取られた利用履歴情報から利用履歴コンポネントを生成する利用履歴コンポネント生成手段と、
前記利用履歴コンポネントを前記利用者端末に送信することにより、該利用者端末上に表示させる利用履歴表示制御手段と、を有することを特徴とするネットワークコンテンツ・アプリケーション利用履歴表示装置。
【請求項３】
ネットワークに接続される利用者端末におけるネットワークコンテンツ閲覧履歴、利用者端末及びサーバ上のアプリケーションの操作履歴を含む利用履歴の登録・保持及び表示を支援するためのネットワークコンテンツ・アプリケーション利用履歴表示プログラムであって、
前記コンテンツ閲覧履歴及び前記操作履歴を利用履歴情報として取得し、利用履歴蓄積手段に蓄積する利用履歴取得ステップと、
他の装置から操作の種別及び時刻情報を含む利用履歴取得要求を取得すると、前記利用履歴蓄積手段に蓄積されている前記利用履歴情報を読み出して、該操作の種別によって分類し、全ての前記利用履歴情報を時間単位で切り取り、該時刻情報に対応する単位時間で切り取られた利用履歴情報から利用履歴コンポネントを生成する利用履歴コンポネント生成ステップと、
前記利用履歴コンポネントを前記利用者端末に送信することにより、該利用者端末上に表示させる利用履歴表示制御ステップ、とをコンピュータに実行させることを特徴とするネットワークコンテンツ・アプリケーション利用履歴表示プログラム。
【発明の詳細な説明】
【０００１】
【発明の属する技術分野】
本発明は、ネットワークコンテンツ・アプリケーション利用履歴表示方法及び装置及びネットワークコンテンツ・アプリケーション利用履歴表示プログラムに係り、特に、ネットワークに接続された端末からのネットワーク上のコンテンツに対するアクセス履歴と端末及びネットワーク上に存在するアプリケーションの操作履歴等の利用履歴を蓄積し、利用者がネットワークに接続された利用者端末上の利用者自身の過去の利用状況を容易に取り出すためのネットワークコンテンツ・アプリケーション利用履歴表示方法及び装置及びネットワークコンテンツ・アプリケーション利用履歴表示プログラムに関する。
【０００２】
【従来の技術】
従来の第１の例として、利用履歴閲覧システムの一般的な構成を図１０に示す。同図において、コンテンツサーバ２１０により取得された利用者のコンテンツ閲覧履歴２１１を利用して、利用履歴をネットワークに接続された端末２４０、２５０から閲覧可能とする利用履歴閲覧装置２１２がある。
【０００３】
また、アプリケーションサーバ２２０によって取得された操作履歴２２１を利用して利用者の操作履歴をネットワークに接続された端末２５０から閲覧する利用履歴閲覧装置２２２がある。
【０００４】
また、従来の第２の例として、アクセス履歴の解析ツールがある。
【０００５】
図１０における端末２３０によって取得されたネットワーク上のコンテンツの閲覧履歴２３１及び端末上のアプリケーションの操作履歴２３１を閲覧可能とする利用履歴閲覧装置２３２がある。
【０００６】
また、従来の第３の例として、一般のインターネットブラウザソフトのアクセス履歴閲覧機能がある。その例を図１１に示す。同図において、従来は、ネットワーク上のコンテンツの閲覧履歴３０１のみを用いて利用履歴の解析・表示を行う。
【０００７】
【発明が解決しようとする課題】
しかし、上記従来の第１の例では、特定のサーバ上の利用履歴を表示可能とするのみであり、利用者がネットワーク上のその他のコンテンツ、アプリケーションの利用者自身の過去の利用状況を把握することは困難である。
【０００８】
また、従来の第２の例では、端末上の利用履歴のみを表示可能とするのみであり、他の端末での利用状況、ネットワーク上のアプリケーションの利用状況を把握することが困難である。
【０００９】
また、従来の第３の例では、コンテンツの閲覧履歴という単一種別の利用履歴を用いて利用者の利用状況を表示するものであり、コンテンツの利用状況のみの尺度でしか利用者の状況を把握することができないという問題がある。
【００１０】
本発明は、上記の点に鑑みなされたもので、ネットワーク上のコンテンツの閲覧、端末及びネットワーク上のアプリケーションの操作履歴等、利用履歴をサーバ上に登録することにより、端末によらず利用履歴へのアクセスを可能とし、登録された複数種別の利用履歴から利用状況に関する情報の閲覧を単純化することが可能なネットワークコンテンツ・アプリケーション利用履歴表示方法及び装置及びネットワークコンテンツ・アプリケーション利用履歴表示プログラムを提供することを目的とする。
【００１１】
【課題を解決するための手段】
図１は、本発明の原理を説明するための図である。
【００１２】
本発明は、ネットワークに接続される利用者端末におけるネットワークコンテンツ閲覧履歴、利用者端末及びサーバ上のアプリケーションの操作履歴を含む利用履歴の登録・保持及び表示を支援するためのネットワークコンテンツ・アプリケーション利用履歴表示方法において、
サーバにおいて、
コンテンツ閲覧履歴及び操作履歴を利用履歴情報として取得し、記憶手段に蓄積しておき（ステップ１）、
他の装置から操作の種別及び時刻情報を含む利用履歴取得要求を取得すると（ステップ２）、記憶手段に蓄積されている利用履歴情報を読み出して、該操作の種別によって分類し、全ての利用履歴情報を時間単位で切り取り（ステップ３）、
時刻情報に対応する単位時間で切り取られた利用履歴情報から利用履歴コンポネントを生成し（ステップ４）、
利用履歴コンポネントを利用者端末に送信することにより、該利用者端末上に表示する（ステップ５）。
【００１３】
図２は、本発明の原理構成図である。
【００１４】
本発明は、ネットワークに接続される利用者端末におけるネットワークコンテンツ閲覧履歴、利用者端末及びサーバ上のアプリケーションの操作履歴を含む利用履歴の登録・保持及び表示を支援するためのネットワークコンテンツ・アプリケーション利用履歴表示装置であって、
コンテンツ閲覧履歴及び操作履歴を利用履歴情報として取得し、利用履歴蓄積手段１３０に蓄積する利用履歴取得手段１１０と、
他の装置から操作の種別及び時刻情報を含む利用履歴取得要求を取得すると、利用履歴蓄積手段１３０に蓄積されている利用履歴情報を読み出して、該操作の種別によって分類し、全ての利用履歴情報を時間単位で切り取り、該時刻情報に対応する単位時間で切り取られた利用履歴情報から利用履歴コンポネントを生成する利用履歴コンポネント生成手段１４０と、
利用履歴コンポネントを利用者端末に送信することにより、該利用者端末上に表示させる利用履歴表示制御手段１６０と、を有する。
【００１５】
本発明は、ネットワークに接続される利用者端末におけるネットワークコンテンツ閲覧履歴、利用者端末及びサーバ上のアプリケーションの操作履歴を含む利用履歴の登録・保持及び表示を支援するためのネットワークコンテンツ・アプリケーション利用履歴表示プログラムであって、
コンテンツ閲覧履歴及び操作履歴を利用履歴情報として取得し、利用履歴蓄積手段に蓄積する利用履歴取得ステップと、
他の装置から操作の種別及び時刻情報を含む利用履歴取得要求を取得すると、利用履歴蓄積手段に蓄積されている利用履歴情報を読み出して、該操作の種別によって分類し、全ての利用履歴情報を時間単位で切り取り、該時刻情報に対応する単位時間で切り取られた利用履歴情報から利用履歴コンポネントを生成する利用履歴コンポネント生成ステップと、
利用履歴コンポネントを利用者端末に送信することにより、該利用者端末上に表示させる利用履歴表示制御ステップ、とをコンピュータに実行させる。
【００１６】
上記のように、本発明は、ネットワークに接続される利用者端末におけるネットワークコンテンツ閲覧履歴、利用者端末及びサーバ上のアプリケーションの操作履歴を含む利用履歴をサーバに登録・蓄積しておくことで、利用者（サーバの操作者または、利用者端末）から要求された操作種別及び時刻情報に基づいて、当該種別と時刻情報に対応する利用履歴情報を切り出して要求元に提供することが可能となる。
【００１７】
【発明の実施の形態】
以下、図面と共に本発明の実施の形態を説明する。
【００１８】
本発明は、複数種別の利用履歴を取得し、登録された複数の利用履歴を時間単位で切り出し、利用履歴コンポネントとする。利用者端末からの要求に基づいて利用コンポネントを生成し、利用コンポネント情報の取得を行い、利用履歴として利用者端末に表示するものである。
【００１９】
図３は、本発明の一実施の形態における利用履歴表示装置の構成を示す。
【００２０】
同図に示す利用履歴表示装置１００は、利用履歴取得部１１０、利用履歴格納部１２０、利用履歴蓄積部１３０、利用履歴コンポネント生成部１４０、利用履歴コンポネント情報生成部１５０、利用履歴表示制御部１６０、表示操作部１７０から構成される。なお、同図では、利用履歴を要求する装置として、１つの利用者端末２００を記載しているが、複数であってもよいし、ネットワークに接続されたサーバであってもよい。
【００２１】
利用履歴取得部１１０は、複数種別の利用履歴を取得して、利用履歴格納部１２０に渡す。利用履歴取得部１１０で取得する履歴情報は、閲覧履歴１０１、操作履歴１０２の双方であり、閲覧履歴１０１は、ネットワークを介して複数の利用者端末から取得するものとする。また、操作履歴１０２は、サーバ自体の操作による履歴である。この閲覧履歴１０１及び操作履歴１０２を以下では利用履歴と呼ぶ。
【００２２】
利用履歴格納部１２０は、取得した利用履歴を成型し、利用履歴蓄積部１３０に格納する。ここで、取得する利用履歴は、その操作種別（閲覧履歴・操作履歴）によりフォーマット等が異なることを想定し、利用履歴蓄積部１３０に格納可能な形態に成形するものとする。
【００２３】
表示操作部１７０は、利用者端末２００からの要求を受け付け、表示する利用履歴コンポネントの種別と、表示する利用履歴コンポネントを決定する。
【００２４】
利用履歴コンポネント生成部１４０は、利用履歴蓄積部１３０から利用履歴を取得して、利用者から要求された利用履歴コンポネントを生成する。
【００２５】
利用履歴コンポネント情報取得部１５０は、生成された利用履歴コンポネントより履歴コンポネント情報の取得を行う。
【００２６】
利用履歴表示制御部１６０は、取得した利用履歴コンポネント情報を利用者端末２００で表示可能な形式に変換し、利用者端末２００に送出する。これにより、送出された利用履歴コンポネントが利用者端末２００上に利用履歴として表示される。
【００２７】
以下に、利用履歴表示装置１００を利用履歴表示サーバに実装した場合について説明する。
【００２８】
図４は、本発明の一実施の形態における利用履歴表示サーバを用いたシステム構成を示す。同図に示す利用履歴表示サーバ４１１は、利用履歴表示機能４１０、利用履歴データベース４２１、アプリケーション機能４３０、操作履歴データベース４３１、代理応答機能４４０、閲覧履歴データベース４４１から構成される。
【００２９】
同図に示す利用履歴表示サーバ４１１において、利用者端末４１０の利用履歴を取得・蓄積・表示を行う図３に示す利用履歴表示装置１００を利用履歴表示機能４１０として実装する。
【００３０】
利用者端末４１０のアプリケーションの複数の操作履歴は、アプリケーション機能４３０によって操作履歴データベース４３１に格納する。
【００３１】
利用者端末４１０のコンテンツ閲覧履歴は代理応答機能４４０によって、取得し、閲覧履歴データベース４４１に格納する。
【００３２】
本発明では、利用履歴として閲覧履歴データベース４４１に格納された閲覧履歴と、操作履歴データベース４３１に格納された、複数の操作履歴を利用履歴表示機能４１０によって利用履歴データベース４４１に格納する。利用履歴表示機能４１０によって利用履歴データベース４４１に格納された利用履歴をネットワーク上に接続された利用者端末４１０に表示する。なお、当該利用履歴データベース４４１は、図３の構成における利用履歴蓄積部１３０に対応するものとする。
【００３３】
次に、図４における利用履歴表示機能４１０として利用される図３に示す利用履歴表示装置１００の動作を説明する。
【００３４】
まず、利用履歴を格納する動作について説明する。
【００３５】
図５は、本発明の一実施の形態における利用履歴格納手順を示すフローチャートである。
【００３６】
複数の種別の利用履歴を利用履歴取得部１１０において取得し、それぞれの種別の識別を行う（ステップ１０１）。このとき、利用履歴取得部１１０は、図４に示す操作履歴データベース４３１から操作履歴を、閲覧履歴データベース４４１から閲覧履歴を取得するものとする。利用履歴格納部１２０において、識別された利用履歴種別毎に成型を行う（ステップ１０２）。成型した利用履歴を利用履歴蓄積部１３０に蓄積する（ステップ１０３）。
【００３７】
次に、利用者端末２００からの操作で利用履歴コンポネントの種別と表示時刻の選択と要求を行った後、利用履歴が利用者端末２００上に表示されるまでの動作を説明する。
【００３８】
図６は、本発明の一実施の形態における画面表示手順のフローチャートである。
【００３９】
利用者端末２００上の操作によって、種別と時刻情報の指定を行い、表示する利用履歴コンポネントの要求を行う（ステップ２０１）。
【００４０】
表示操作部１７０は、利用者端末２００からの利用履歴コンポネント種別と、表示時刻情報からなる要求を受け付け利用履歴コンポネント生成部１４０に渡す（ステップ２０２）。
【００４１】
利用履歴コンポネント生成部１４０において、要求された利用履歴コンポネントの種別と時刻情報に基づいて利用履歴コンポネントの生成を行う（ステップ２０３）。利用履歴コンポネント生成部１４０は、利用履歴蓄積部１３０から切り出すコンポネントの時間単位を決定し、当該時間単位と利用履歴コンポネント種別に基づいて利用履歴蓄積部１３０から利用情報を切り出す。利用履歴コンポネント情報取得部１５０では、切り出された利用履歴コンポネント情報を取得し、利用履歴表示制御部１６０に渡す（ステップ２０４）。
【００４２】
利用履歴表示制御部１６０では、取得した利用履歴コンポネントの情報を元に、端末上で表示可能な形式に成形し、利用者端末２００に送出する（ステップ２０５）。利用者端末２００では、送出された情報を元に、端末上で利用履歴コンポネントの表示を行う（ステップ２０６）。
【００４３】
上記のステップ２０３における利用履歴コンポネントの生成方法について説明する。
【００４４】
利用履歴は、操作履歴と閲覧履歴からなり、様々な種別の履歴を含んでいるため、利用履歴の中の一つの種別を選択して、その利用履歴に含まれる時刻情報を利用して分類を行う。
【００４５】
分類の方法は、まず、複数の種別のうち一つの種別の利用履歴を選択する。選択した履歴には、それぞれに活動が行われた時刻が記述されている。この時刻情報を利用して利用履歴コンポネントとして切り出すための時間単位を決定する。決定した時間単位をもとに利用履歴を切り出していく。ある時間単位で切り出された複数の履歴情報を利用履歴コンポネントとする。
【００４６】
それぞれの利用履歴の種別によって切り出しの単位が変わるため、それぞれ異なる利用履歴コンポネントが切り出されることになる。よって、それぞれが異なる分類となる。
【００４７】
ここで、切り出し単位の決定方法について説明する。
【００４８】
特定された利用履歴の種別の中の単一の履歴に対して、切り出し単位を決定するために２種類の時間情報の利用方法がある。
【００４９】
▲１▼着目した単一の利用履歴と、次の利用履歴の時刻までの間の履歴情報を切り出す場合。この例を図７に示す。
【００５０】
具体的には、コンテンツの閲覧履歴を利用した場合には、コンテンツを閲覧した時刻から次の閲覧時刻までの履歴を切り出し、コンテンツを閲覧した履歴と合わせて利用履歴コンポネントとする。
【００５１】
▲２▼着目した単一の利用履歴と、前の利用履歴の時刻までの間の利用履歴を切り出す場合。この例を図８に示す。
【００５２】
例えば、ブックマークの履歴を利用した場合には、ブックマークした時刻から前のブックマークした時刻までの履歴を切り出し、ブックマークの履歴を併せて利用履歴コンポネントとする。
【００５３】
このように、利用履歴に含まれる履歴の種別によって複数の切り出しが可能となる。
【００５４】
図９は、本発明の一実施の形態における利用者端末に表示される利用履歴の表示例を示す。
【００５５】
利用者端末２００の画面には、選択可能な利用履歴コンポネントの種別と選択中の利用履歴コンポネント種別の表示を行い、取得する履歴コンポネント種別の選択を行う利用履歴コンポネント種別選択部分７１と、表示中の利用コンポネントの時刻を表示する表示操作部分７２と、利用履歴コンポネントの表示を行う利用履歴コンポネント表示部分７３が表示される。
【００５６】
なお、図７では、利用者端末２００に表示される例を示しているが、ネットワークに接続されるサーバ等が有する表示手段に表示する場合についても同様である。
【００５７】
また、上記の利用履歴取得部、表示操作部、利用履歴格納部、利用履歴コンポネント生成部、利用履歴コンポネント情報取得部、利用履歴表示制御部の各動作をプログラムとして構築し、コンピュータのＣＰＵ等の制御手段において実行させることも可能である。
【００５８】
また、構築されたプログラムを通信回線や記憶媒体から利用履歴表示装置として利用されるコンピュータにインストールすることにより実行することも可能である。
【００５９】
また、構築されたプログラムを利用履歴表示装置として利用されるコンピュータに接続されるハードディスク装置や、フレキシブルディスク、ＣＤ−ＲＯＭ等の可搬記憶媒体に格納しておき、本発明を実施する際にコンピュータにインストールして実行することも可能である。
【００６０】
なお、本発明は、上記の実施の形態に限定されることなく、特許請求の範囲内において、種々変更・応用が可能である。
【００６１】
【発明の効果】
上述のように、本発明は、以下のような効果を奏する。
【００６２】
▲１▼利用した端末によらず利用履歴の登録・蓄積が可能となる。
【００６３】
▲２▼利用者が端末によらず、利用履歴へのアクセスが可能となる。
【００６４】
▲３▼コンポネント単位で切り出し、他の利用履歴の情報によって、単一の履歴からは得られなかった情報を同時に利用者に提示することができる。
【図面の簡単な説明】
【図１】本発明の原理を説明するための図である。
【図２】本発明の原理構成図である。
【図３】本発明の一実施の形態における利用履歴表示システムの基本構成図である。
【図４】本発明の一実施の形態における利用履歴表示サーバを用いたシステム構成図である。
【図５】本発明の一実施の形態における利用履歴格納手順を示すフローチャートである。
【図６】本発明の一実施の形態における画面表示手順のフローチャートである。
【図７】本発明の一実施の形態における着目した利用履歴と次の利用履歴の時刻までの利用履歴を切り出す場合を説明するための図である。
【図８】本発明の一実施の形態における着目した利用履歴と前の利用履歴の時刻までの利用履歴を切り出す場合を説明するための図である。
【図９】本発明の一実施の形態における利用者端末に表示される利用履歴の表示例である。
【図１０】従来の第２の例の利用履歴表示システムの概要を示す図である。
【図１１】従来の第３の利用履歴表示システムの構成図である。
【符号の説明】
７１  利用履歴コンポネント種別選択部分
７２  表示操作部分
７３  利用履歴コンポネント表示部分
１０１  閲覧履歴
１０２  操作履歴
１００  利用履歴表示装置
１１０  利用履歴取得手段、利用履歴取得部
１２０  利用履歴格納部
１３０  利用履歴情報蓄積手段、利用履歴蓄積部
１４０  利用履歴コンポネント生成手段、利用履歴コンポネント生成部
１５０  利用履歴コンポネント情報取得部
１６０  利用履歴表示制御手段、利用履歴表示制御部
１７０  表示操作部
２００  利用者端末
４０１  ネットワーク
４０２  インターネット
４１０  利用者端末
４１０  利用履歴表示機能
４１１  利用履歴表示サーバ
４２１  利用履歴データベース
４３０  アプリケーション機能
４３１  操作履歴データベース
４４０  代理応答機能
４４１  閲覧履歴データベース
【図１】
2004259042.tif 000003
【図２】
2004259042.tif 000004
【図３】
2004259042.tif 000005
【図４】
2004259042.tif 000006
【図５】
2004259042.tif 000007
【図６】
2004259042.tif 000008
【図７】
2004259042.tif 000009
【図８】
2004259042.tif 000010
【図９】
2004259042.tif 000011
【図１０】
2004259042.tif 000012
【図１１】
2004259042.tif 000013
【手続補正書】
【提出日】平成15年2月27日(2003.2.27)
【手続補正１】
【補正対象書類名】明細書
【補正対象項目名】０００６
【補正方法】変更
【補正の内容】
【０００６】
また、従来の第３の例として、一般のインターネットブラウザソフトのアクセス履歴閲覧機能がある。その例を図１１に示す。同図において、従来は、ネットワーク上のコンテンツの閲覧履歴３０１のみを用いて利用履歴の解析・表示を行う（例えば、特許文献１参照）。
【特許文献１】
特開平１１−３５３２６３号公報